(57)【要約】【課題】高揮発性の薬剤等を含むウェットティッシュが、乾燥してしまうことを防止し、長期間にわたり良好に保管可能な、密封性に優れたウェットティッシュ包装体の収納容器を提供する。【解決手段】複数のウェットティッシュを個包装したウェットティッシュ包装体の収納容器において、該収納容器は、前記ウェットティッシュを取り出すための取出口を有する容器本体と、前記取出口を開閉自在な蓋体とを有し、前記蓋体若しくは前記容器本体に形成された環状突起と、前記容器本体若しくは前記蓋体に形成された環状樹脂と、が互いに当接することにより、前記容器本体の取出口を密閉するウェットティッシュ包装体の収納容器であって、前記環状突起が、前記環状樹脂の外方かつ上方のコーナー部分に、当接することにより、前記容器本体の密閉性を向上したことを特徴とする、ウェットティッシュ包装体の収納容器である。【選択図】図１
2010115383.tif 000002
【特許請求の範囲】
【請求項１】
複数のウェットティッシュを個包装したウェットティッシュ包装体の収納容器において、該収納容器は、前記ウェットティッシュを取り出すための取出口を有する容器本体と、前記取出口を開閉自在な蓋体とを有し、
前記蓋体若しくは前記容器本体に形成された環状突起と、前記容器本体若しくは前記蓋体に形成された環状樹脂と、が互いに当接することにより、前記容器本体の取出口を密閉するウェットティッシュ包装体の収納容器であって、
前記環状突起が、前記環状樹脂の外方かつ上方のコーナー部分に、当接することにより、前記容器本体の密閉性を向上したことを特徴とする、ウェットティッシュ包装体の収納容器。
【請求項２】
前記蓋体若しくは前記容器本体の前記環状突起は、少なくとも２つの環状突起を有し、前記蓋体の閉封時、前記２つの前記環状突起が、前記容器本体若しくは前記蓋体に形成された環状突起を挟みつつ当接することにより、容器本体の密閉性をさらに向上したことを特徴とする、請求項１記載のウェットティッシュ包装体の収納容器。
【請求項３】
前記環状樹脂は、断面視において略矩形状を有することを特徴とする、請求項１乃至２記載のウェットティッシュ包装体の収納容器。
【請求項４】
前記容器本体の底部が、開閉自在に形成されることを特徴とする、請求項１乃至３記載のウェットティッシュ包装体の収納容器。
【請求項５】
前記容器本体に、該容器本体を吊り下げ可能なフックを形成するとともに、前記フックを前記容器本体へと収納自在に形成したことを特徴とする、請求項１乃至４記載のウェットティッシュ包装体の収納容器。
【発明の詳細な説明】
【技術分野】
【０００１】
本発明は、複数のウェットティッシュを収容するウェットティッシュ包装体の収納容器に関する。
【背景技術】
【０００２】
従来、ウェットティッシュの収納容器１０としては、図１１（ａ）に示すように、円筒状に巻かれたウェットティッシュ３０を容器本体Ａに収容し、開閉自在な蓋体Ｂを有する蓋部Ｃを容器本体Ａへと取り付けてなる、ウェットティッシュ収納容器１０が知られている。（例えば、特許文献１）
【０００３】
このような容器Ａは、ウェットティッシュ使用時において、図１１（ｂ）に示すように、蓋体Ｂを開き、蓋部Ｃに形成された取出口Ｄよりウェットティッシュ３０の先端部分をつまみ順次引き出す構成である。しかしながら、ウェットティッシュ３０の乾燥を防止するために、取出口Ｄを極力小さく形成して容器本体Ａの密封性を高める必要があり、ウェットティッシュ３０を小さな取出口Ｄから取り出し難いという問題がある。
【０００４】
特に、消毒用に高揮発性のアルコール等を含ませたウェットティッシュ３０では、たとえ、小さな取出口Ｄであってもアルコールが蒸発してしまうため、完全に密封された環境でウェットティッシュ３０を保管する必要がある。
【０００５】
このため、図１２（ａ）に示すように、耐透過性の優れた積層フィルムを用いてウェットティッシュを個包装したウェットティッシュ包装体２０が知られている。（例えば、特許文献２）
このようなウェットティッシュ包装体２０は、ウェットティッシュ３０の使用時において、図１２（ｂ）に示すように、取出口２１のフィルムシート２３を引き剥がして、ウェットティッシュ３０を取り出し、再び、取出口２１へとフィルムシート２３を貼り付けることにより、ウェットティッシュ３０を完全に密封して乾燥を防ぐ構成である。
【０００６】
しかしながら、前記フィルムシート２３を、取出口２１の周囲に形成された粘着テープ２２により貼り合せた簡単な構成であり、数回の開封操作により粘着テープ２２の粘着力が弱まるため、取出口２１を塞ぐフィルムシート２３が剥がれやすく密封性が低下しやすいという欠点がある。
【０００７】
このような欠点を解消するため、ウェットティッシュ包装体２０の取出口２１に、図１３（ａ）に示すような、蓋部Ｃを取り付けた包装体が開示されている。（例えば、特許文献３）
【０００８】
しかしながら、このような蓋部Ｃを取り付けた包装体２０は、図１３（ｂ）に示すように、取出口を含む包装体２０の一部分を覆う構成であり、積層フィルム等で構成される包装体２０と、熱可塑性樹脂からなる蓋部Ｃとの間に隙間が生じてしまう恐れがある。さらには、蓋体Ｂを単に閉じるだけでは、蓋体Ｂと蓋部Ｃの枠部分との間に隙間が生じやすく、前記隙間を通してアルコール等が蒸発してしまう恐れがある。
【０００９】
【特許文献１】特開２００７−２１７０５４号公報
【特許文献２】特許第３３７２６９２号公報
【特許文献３】特許第３７０６１４１号公報
【発明の開示】
【発明が解決しようとする課題】
【００１０】
本発明は、主に、複数のウェットティッシュを収容するウェットティッシュ包装体の収納容器に関し、高揮発性のアルコール等を含むウェットティッシュが、乾燥してしまうことを防止し、長期間にわたり良好に保管可能な、密封性に優れたウェットティッシュ包装体の収納容器を提供することを課題とする。また、ウェットティッシュを取り出しやすく構成し、ウェットティッシュの包装体を簡単に取り替え可能に構成することで、使用性に優れかつ環境に優しいウェットティッシュ包装体の収納容器を提供することを課題とする。さらには、収納容器に収納自在なフックを形成することにより、使用性のみならずディスプレイ効果をも向上した収納容器を提供することを課題とする。
【課題を解決するための手段】
【００１１】
上記課題を解決すべく、本発明の請求項１記載の発明は、複数のウェットティッシュを個包装したウェットティッシュ包装体の収納容器において、該収納容器は、前記ウェットティッシュを取り出すための取出口を有する容器本体と、前記取出口を開閉自在な蓋体とを有し、
前記蓋体若しくは前記容器本体に形成された環状突起と、前記容器本体若しくは前記蓋体に形成された環状樹脂と、が互いに当接することにより、前記容器本体の取出口を密閉するウェットティッシュ包装体の収納容器であって、
前記環状突起が、前記環状樹脂の外方かつ上方のコーナー部分に、当接することにより、前記容器本体の密閉性を向上したことを特徴とする、ウェットティッシュ包装体の収納容器である。
【００１２】
また、請求項２記載の発明は、前記蓋体若しくは前記容器本体の前記環状突起は、少なくとも２つの環状突起を有し、前記蓋体の閉封時、前記２つの前記環状突起が、前記容器本体若しくは前記蓋体に形成された環状突起を挟みつつ当接することにより、容器本体の密閉性をさらに向上したことを特徴とする、ウェットティッシュ包装体の収納容器である。
【００１３】
また、請求項３記載の発明は、前記環状樹脂は、断面視において略矩形状を有することを特徴とする、ウェットティッシュ包装体の収納容器である。
【００１４】
また、請求項４記載の発明は、前記容器本体の底部が、開閉自在に形成されることを特徴とする、ウェットティッシュ包装体の収納容器である。
【００１５】
また、請求項５記載の発明は、前記容器本体に、該容器本体を吊り下げ可能なフックを形成するとともに、前記フックを前記容器本体へと収納自在に形成したことを特徴とする、ウェットティッシュ包装体の収納容器である。
【発明の効果】
【００１６】
本発明の請求項１記載の発明は、複数のウェットティッシュを個包装したウェットティッシュ包装体の収納容器において、該収納容器は、前記ウェットティッシュを取り出すための取出口を有する容器本体と、前記取出口を開閉自在な蓋体とを有し、前記蓋体若しくは前記容器本体に形成された環状突起と、前記容器本体若しくは前記蓋体に形成された環状樹脂と、が互いに当接することにより、前記容器本体の取出口を密閉するウェットティッシュ包装体の収納容器であって、前記環状突起が、前記環状樹脂の外方かつ上方のコーナー部分に、当接することにより、前記容器本体の密閉性を向上したことを特徴とするから、容器本体の密封性を高め、長期間にわたりウェットティッシュの乾燥を確実に防止することが可能である。
【００１７】
また、請求項２記載の発明は、前記蓋体若しくは前記容器本体の前記環状突起は、少なくとも２つの環状突起を有し、前記蓋体の閉封時、前記２つの前記環状突起が、前記容器本体若しくは前記蓋体に形成された環状突起を挟みつつ当接することにより、容器本体の密閉性をさらに向上することが可能である。
【００１８】
また、請求項３記載の発明は、前記環状樹脂は、断面視において略矩形状を有することを特徴とするから、容器本体の密閉性を高めるために、複雑な断面形状を有する環状樹脂を用いる必要がなく、低コストな略矩形状の環状樹脂を使用することが可能である。
【００１９】
また、請求項４記載の発明は、前記容器本体の底部が、開閉自在に形成されることを特徴とするから、容器本体の密閉性を高めつつウェットティッシュの包装体を簡単に交換することが可能である。
【００２０】
また、請求項５記載の発明は、前記容器本体に、該容器本体を吊り下げ可能なフックを形成するとともに、前記フックを前記容器本体へと収納自在に形成したことを特徴とするから、前記フックを形成して、ウェットティッシュ包装体の収納容器を、吊り下げて陳列することが可能であり、また、前記フックを収納することが可能である。
【発明を実施するための最良の形態】
【００２１】
本発明に係るウェットティッシュ包装体の収納容器１０（収納容器１０）の一例としては、図１（ａ）に示すように、ウェットティッシュの包装体２０を内部に収容した容器本体１と、該容器本体１の上面中央に形成されたウェットティッシュ３０を取り出すための取出口３を密閉するための蓋体２とからなり、該蓋体２は、ヒンジ４を介して容器本体１に取り付けられている。
【００２２】
本発明の収納容器１０は、図１（ｂ）に示すように、前記蓋体２の閉封時において、蓋体２（若しくは前記容器本体１）に形成された環状突起７と、前記容器本体１（若しくは前記蓋体２）に形成された環状樹脂６とが、互いに当接することにより、容器本体１の取出口３を密閉する構成であって、特に、後述する、前記蓋体２の環状突起７が、前記環状樹脂６の外方部分かつ上方部分に当接することにより、容器本体１を強固かつ確実に密閉することが可能である。
【００２３】
これにより、アルコール等の高揮発性の消毒液を含ませたウェットティッシュ３０であっても、長期間にわたりウェットティッシュ３０の乾燥を強固かつ確実に防止することが可能である。
【００２４】
以下に、本発明の収納容器１０の詳しい構成について説明する。
まず、本発明の収納容器１０に収納するウェットティッシュ包装体２０（包装体２０）は、図２（ａ）（ｂ）に示すように、複数のウェットティッシュ３０が折りたたまれ、かつ次のウェットティッシュ３０に挟みこまれた状態で、積層フィルムからなる包装体２０により密封されている。
【００２５】
包装体２０の上面には、最上段のウェットティッシュ３０をつまみ出すための、略円形状の開口２１が形成されており、最上段のウェットティッシュ３０を取り出すと、次のウェットティッシュ３０の先端部分が、前記取出口３から僅かに突出するため、順次ウェットティッシュ３０を連続して取り出すことが可能である。
【００２６】
特に、個々のウェットティッシュ３０には、揮発性のアルコール等が含まれており、常に湿った状態で密封されている。そして、前記開口２１の周囲に形成された粘着テープ２２を介して、前記開口２１を閉封するためのシート状の初期開封シート２３を貼着することにより、ウェットティッシュ包装体２０を密封している。
【００２７】
よって、ウェットティッシュ３０使用時において、後述する、包装体２０の初期開封シート２３を取り除き、ウェットティッシュの包装体２０を、本発明の収納容器１０に収納することにより、初期開封シート２３を開封除去した後も、ウェットティッシュ３０が乾燥することなく、好適に前記包装体２０を保管、使用することが可能である。
【００２８】
次に、このようなウェットティッシュの包装体２０を収納するための、本発明の収納容器１０について説明する。
まず、本発明のウェットティッシュ包装体２０の収納容器１０は、図３に示すように、開閉自在な蓋体２と、前記ウェットティッシュ包装体２０を収容する容器本体１と、からなり、容器本体１の底部５は、ヒンジ４を介して開閉自在に構成されている。
【００２９】
そして、前記容器本体１の底部５は、底部５の縁からヒンジ４を介して連設された可動片１５の先端部分に形成された掛止片１３が、容器本体１に形成された掛止溝１４へと、掛止することで、前記底部５を前記容器本体１へとロックすることが可能である。また、前記蓋体２は、蓋体２の先端部分に形成された掛止片１１が、容器本体１に形成された掛止溝１２へと、掛止することで、前記蓋体２を前記容器本体１へとロックすることが可能である。
【００３０】
特に、容器本体１の前記取出口３の周囲には、複数の環状突起８、８'が形成されており、内側の前記環状突起８と外側の前記環状突起８'との間の窪み部分へと、環状樹脂６が挿入される（図中点線）。
【００３１】
他方、前記蓋体２には、複数の環状突起７、７'が形成されており、後述する、蓋体２の閉封時において、蓋体２の環状突起７が、容器本体１の前記環状樹脂６の外方かつ上方部分へと当接することにより、容器本体１の取出口３を強固に密閉することが可能である。
【００３２】
よって、蓋体２の閉封時において、図４に示すように、蓋体２の環状突起７が、容器本体１の環状突起８、８'の間の窪みに挿入された環状樹脂６の上方かつ外方部分へと当接することにより、環状樹脂６のコーナー部分が湾曲して、環状突起７と密着することとなる。特に、環状樹脂６の外方には僅かな隙間９が形成されており、環状樹脂６のコーナー部分が外方へと湾曲することが可能である。
【００３３】
特に、蓋体２の環状突起７と、容器本体の環状樹脂６とが当接して、環状樹脂を湾曲（変形）させることにより、環状突起７と環状樹脂６とが強固に密着するため、容器本体１の取出口３を密閉することが可能である。よって、環状樹脂６と、該環状樹脂６を挟む環状突起との間には、僅かな隙間９を形成することが望ましい。
【００３４】
このように、前記環状突起７が、環状樹脂６の上方部分かつ外方部分のコーナーへと当接することにより（図中丸印）、環状樹脂６のコーナー部分が湾曲した状態で前記環状突起７と密着するため、高い密閉性を奏することが可能である。よって、矩形の断面を有する環状樹脂６を用いる簡単な構成により、高い密閉性を有する収納容器１０を低コストで製造することが可能である。
【００３５】
特に、蓋体２の前記環状突起７は、図５（ａ）に示すように、内外の２つの環状突起７、７'を有しており、蓋体２の閉封時において、容器本体１の環状突起８'を挟み込んで当接することにより、それぞれの環状突起が互いに接する２箇所において、高い密閉性を奏することが可能である。
【００３６】
これにより、内側の環状突起７と環状樹脂６との当接箇所と、内側および外側の環状突起７、７'と容器本体の環状突起８との２つの当接箇所との、計３点の当接箇所（図中丸印部分）で容器本体１を強固かつ確実に密閉することが可能である。よって、ウェットティッシュに高揮発性のアルコールが含まれる場合でも、ウェットティッシュが乾燥することなく、長期間にわたりウェットティッシュを保管することが可能である。
【００３７】
前記蓋体２若しくは前記容器本体１に形成された、前記環状突起７，８と前記環状樹脂６との位置関係は、特に限定されるものではなく、蓋体２若しくは容器本体１の環状突起７、８が、環状樹脂６の外方かつ上方のコーナー部分へと当接することで、環状樹脂６を隙間方９へと変形せしめ、環状突起７、８と環状樹脂６とが密着する構成であればよい。
【００３８】
例えば、図５（ｂ）に示すように、蓋体２の環状突起７が、容器本体の環状突起８と環状樹脂６との２点で接し、さらには、蓋体２の環状突起７'と容器本体の環状突起８'とが接することにより、計３点の当接箇所で、容器本体１を強固に密閉する構成であってもよい。
【００３９】
また、前記環状樹脂６は蓋体２に形成してもよく、図６（ａ）に示すように、容器本体１の環状突起８が、蓋体の環状樹脂６のコーナー部分に当接し、かつ蓋体の環状突起７'に当接することにより、容器本体を強固に密閉することが可能である。
【００４０】
さらには、図６（ｂ）に示すように、容器本体の環状突起８'が、蓋体２の環状樹脂６のコーナー部分に当接し、かつ、容器本体の２つの環状突起８、８'が、蓋体２の環状突起７を挟みつつ当接することにより、計３点の当接箇所（図中丸印）で、容器本体１をさらに強固に密閉する構成であってもよい。
【００４１】
このように、本発明のウェットティッシュ包装体の収納容器１０は、前記蓋体２若しくは前記容器本体１に形成された環状突起６と、前記容器本体１若しくは前記蓋体２に形成された環状樹脂６と、が互いに当接することにより、前記容器本体１の取出口３を密閉するウェットティッシュ包装体２０の収納容器１０であって、前記環状突起７（環状突起８）が、前記環状樹脂６の外方かつ上方のコーナー部分に、当接することにより、前記環状樹脂を変形せしめ、容器本体１の密封性を高めることが可能であり、長期間にわたりウェットティッシュ３０の乾燥を防止することが可能である。
【００４２】
また、前記蓋体２若しくは容器本体１の前記環状突起７（環状突起８）は、少なくとも２つの環状突起７、７'（８、８'）を有し、前記蓋体２の閉封時、前記２つの前記環状突起７、７' （８、８'）が、前記容器本体１若しくは前記蓋体２に形成された環状突起８'（環状突起７'）を挟み込んで当接することにより、容器本体１の密閉性をさらに向上することが可能である。さらに、前記環状樹脂６は、断面視において略矩形状を有することで、複雑な断面形状を有する環状樹脂６を用いる必要がなく、低コストな略矩形状の環状樹脂６を使用することが可能である。
【００４３】
次に、本発明のウェットティッシュ包装体の収納容器１０は、密閉性を高めた上記構成に加え、使用性やディスプレイ性を向上することが可能である。
【００４４】
例えば、図７に示すように、前記容器本体１の底部５が、ヒンジ４を介して開閉自在に構成するとともに、底部５の縁部分にヒンジ４を介して形成された可動片１５の掛止片１３を、容器本体１に形成された掛止溝１４へとロックする構成であってもよく、ウェットティッシュの交換時において、図７（ａ）に示すように、可動片１５を手前方へと倒して底部５と容器本体１とのロックを解除した後、図７（ｂ）に示すように、容器本体１を持ち上げることにより、ウェットティッシュ包装体２０を容易に交換することが可能である。よって、使用性に優れかつ環境に優しいウェットティッシュ包装体の収納容器１０を提供することが可能である。
【００４５】
さらには、図８に示すように、前記容器本体１に、該容器本体１を吊り下げ可能なフック１６をヒンジ４を介して形成することにより、前記フック１６を前記容器本体１へと収納自在とすることが可能である。
【００４６】
この場合、図８（ａ）に示すように、容器本体１の底部５に形成されたフック１６を収納するための窪み１８へと、フック１６が折り込まれた状態で、窪みに形成された掛止片１７によりフック先端の内側部分が掛止されている。
【００４７】
そして、フック１６の使用時には、フック１６の先端部分をつまんで手前方へと引き出すことで、フック１６と掛止片１７とのロックが解除され、フック１６がヒンジ４を介して回動し、図８（ｂ）に示すように、外方へと突出したフック１６を簡単に形成することが可能である。
【００４８】
よって、収納容器１０の前記フック１６を取り出して、図９（ａ）に示すように、Ｓ字フックやスタンド等の吊り下げ用部材１９へと、収納容器１０を吊り下げた状態で使用することが可能であり、さらには、図９（ｂ）に示すように、複数の収納容器を陳列した状態で販売することが可能である。このように、収納容器１０に収納自在なフック１６を形成することにより、使用性のみならずディスプレイ効果をも向上した収納容器を提供することが可能である。
【００４９】
以上のように、本発明のウェットティッシュ包装体の収納容器１０は、高揮発性のアルコール等を含むウェットティッシュ３０が乾燥してしまうことを防止し、長期間にわたり良好に保管可能な密封性に優れたウェットティッシュ包装体の収納容器１０を提供することが可能である。さらには、ウェットティッシュ３０を取り出しやすく構成し、ウェットティッシュ包装体２０を簡単に取り替え可能に構成することで、使用性に優れかつ環境に優しいウェットティッシュ包装体の収納容器１０を提供することが可能である。さらには、収納容器１０に収納自在なフック１６を形成することにより、使用性のみならずディスプレイ効果をも向上した収納容器を提供することが可能である。
【００５０】
なお、上述したウェットティッシュ包装体の収納容器１０を構成する容器本体１および蓋体２は、いずれも熱可塑性樹脂を用いたインジェクション成形により得られるが、熱可塑性樹脂として耐熱性のあるＰＰ、ＰＳ、ＰＣ、ＰＥＴ等を用いて成形するのが好ましい。
【００５１】
また、前記収納容器１０は、該容器１０の強度を高めるべく、容器本体１および蓋体２に強度補強用のリブ４０（補強リブ４０）を設けることが望ましい。この場合、図１０（ａ）に示すように、容器本体１の天面や側面、また、図１０（ｂ）に示すように、底部５の長手方向に沿って、凸形状の補強リブ４０を形成することにより、長方形の収納容器１０が撓むことを防ぎ、容器本体１および底部５の強度が向上するため、蓋体２や底部５の度重なる開閉操作による収納容器１０の変形を防ぎ、長期間にわたって収納容器１０を良好に利用することが可能である。さらには、収納容器１０の強度を高めることにより、容器本体１と底部５とを強固に密閉することが可能であり、収納容器１０の密閉性をさらに向上することが可能である。
【００５２】
前記ウェットティッシュ３０の素材としては、例えば、水溶解性のものが用いられるが、その他不織布、紙、ガーゼ等の繊維素材やシート状の発泡体、または紙ベースの軟質材料を用いてもよい。またウェットティッシュ３０に含浸させる液体としては、アルコール等を含んだ殺菌液、消毒液、洗浄液等や、化粧水・乳液等の化粧品類が挙げられる。
【００５３】
また、前記ウェットティッシュの包装体２０の素材としては、外側から順に、延伸ポリエステル（ＰＥＴ）／未延伸ポリプロピレン（ＣＰＰ）、ポリ塩化ビニリデン（ＰＶＤＣ）コートＰＥＴ／ＣＰＰ、無機物（例えば酸化ケイ素（ＳｉＯｘ）等）蒸着ＰＥＴ／ＣＰＰ、ＰＶＤＣ／ＣＰＰ、ＰＥＴ／ポリエチレン（ＰＥ）／ＣＰＰ、延伸ポリプロピレン（ＯＰＰ）／ＣＰＰ、ＰＶＤＣコートＯＰＰ／ＣＰＰ、無機物（例えば酸化ケイ素（ＳｉＯｘ）等）蒸着ＯＰＰ／ＣＰＰ、延伸ナイロン（ＯＮ）／ＣＰＰ、等が挙げられ、さらに、アルミ箔を蒸着することにより高バリア性を付与してもよい。
【００５４】
前記環状樹脂６としては、通常のゴムパッキンを用いればよく、前記ゴムパッキンの一例としては、ニトリルゴム（ＮＢＲ）、フッ素ゴム（ＦＫＭ）、エチレンプロピレンゴム（ＥＰＤＭ）、アクリルゴム（ＡＣＭ）、水素化ニトリルゴム（ＨＮＢＲ）、ポリウレタンゴム、スチレンブタジエンゴム、クロロプレンゴム、ブチルゴム等が挙げられる。
【００５５】
特に、オレフィン系ゴムに分類されエチレンとプロピレン及び架橋用のジエンモノマーを使用した３元共重合体である、前記エチレンプロピレンゴム（ＥＰＤＭ）は、揮発性のアルコール等による膨潤等の影響を受けにくく、さらには天然ゴムと比較してアレルギー耐値が良好であって、太陽光によるクラック等が生じにくいため、長期間良好かつ安全に使用することが可能である。
【００５６】
また、前記環状樹脂６としては、前記ゴムパッキンのみならず樹脂パッキンを用いてもよく、前記樹脂パッキンの一例としては、四フッ化エチレン樹脂、ポリアミド樹脂等が挙げられる。他方、シリコーンゴム（ＶＭＱ）はアルコール透過性があるため、ウェットティッシュに揮発性のアルコール等を含ませる場合には、前記環状樹脂６としてシリコーン系のゴムは望ましくない。
【００５７】
また、前記環状樹脂６は、前記環状突起７，８が当接した際に、良好に変形する程度の硬度を有することが望ましく、前記環状樹脂６のゴム硬度（ＪＩＳ  Ｋ  ６２５３  デュロメータ  タイプＡに準拠するゴム硬度であって、Ａ−は「タイプＡデュロメータ硬さ試験で測定した硬度」を表す）としては、Ａ２０〜４０、好ましくはＡ２３〜３０であり、さらに好ましくはＡ２５の硬度である。
【図面の簡単な説明】
【００５８】
【図１】本発明のウェットティッシュ包装体の収納容器の一例を示す図である。（ａ）収納容器の開封時を示す図である。（ｂ）収納容器の密閉時を示す図である。
【図２】ウェットティッシュ包装体の一例を示す図である。（ａ）ウェットティッシュ包装体の一例を示す一部切断説明図である。（ａ）ウェットティッシュ包装体の断面を示す説明図である。
【図３】本発明のウェットティッシュ包装体の一例を示す説明図である。
【図４】本発明のウェットティッシュ包装体を示す一部切断説明図（上）および一部拡大説明図（下）である。
【図５】（ａ）（ｂ）本発明のウェットティッシュ包装体の一例を示す一部断面図である。
【図６】（ａ）（ｂ）本発明のウェットティッシュ包装体の一例を示す一部断面図である。
【図７】本発明のウェットティッシュ包装体の一例を示す説明図である。（ａ）底部の閉封時を示す図である。（ｂ）底部の開封時を示す図である。
【図８】本発明のウェットティッシュ包装体の一例を示す説明図である。（ａ）フックの収納時を示す図である。（ｂ）フックの取出し時を示す図である。
【図９】（ａ）（ｂ）本発明のウェットティッシュ包装体の使用例を示す説明図である。
【図１０】本発明のウェットティッシュ包装体の一例を示す説明図である。
【図１１】従来の容器を示す説明図である。
【図１２】従来の容器を示す説明図である。
【図１３】従来の容器を示す説明図である。
【符号の説明】
【００５９】
１  容器本体
２  蓋体
３  取出口
４  ヒンジ
５  底部
６  環状樹脂
７、７'  環状突起
８，８'  環状突起
９  隙間
１０  ウェットティッシュ包装体の収納容器（収納容器）
１１  掛止片
１２  掛止溝
１３  掛止片
１４  掛止溝
１５  可動片
１６  フック
１７  掛止片
１８  フック収納部（窪み）
１９  吊り下げ用部材
２０  ウェットティッシュ包装体（包装体）
２１  開口
２２  粘着テープ
２３  初期開封シート
３０  ウェットティッシュ
４０  補強リブ
【図１】
2010115383.tif 000003
【図２】
2010115383.tif 000004
【図３】
2010115383.tif 000005
【図４】
2010115383.tif 000006
【図５】
2010115383.tif 000007
【図６】
2010115383.tif 000008
【図７】
2010115383.tif 000009
【図８】
2010115383.tif 000010
【図９】
2010115383.tif 000011
【図１０】
2010115383.tif 000012
【図１１】
2010115383.tif 000013
【図１２】
2010115383.tif 000014
【図１３】
2010115383.tif 000015